(57)【要約】【課題】エネルギー効率向上または運転コスト低減に関して所期の効果を得ることができ安価に構築することができる給湯システムを提供する。【解決手段】給湯システム１は、ヒートポンプ給湯器１０、貯湯タンク２０、補助給湯器３０および制御部５０Ａを備える。制御部５０Ａは、給湯負荷７０への温水の給湯の際に、貯湯タンク２０に設けられた温度計Ｔ１〜Ｔ３それぞれによる温度測定値に基づいて検出された貯湯タンク２０の温水貯湯量に応じて、ヒートポンプ給湯器１０または貯湯タンク２０から給湯負荷７０への温水の給湯（第１給湯）、および、補助給湯器３０から給湯負荷７０への温水の給湯（第２給湯）の、双方または何れか一方を行わせる。【選択図】図１
2013083376.tif 000002
【特許請求の範囲】
【請求項１】
温水を貯湯する貯湯タンクと、
前記貯湯タンクまたは給水源から供給される水を加熱して当該加熱後の温水を前記貯湯タンク内に貯湯させるヒートポンプ給湯器と、
前記給水源から供給される水を加熱して温水を生成する補助給湯器と、
前記貯湯タンクにおける温水の貯湯量を検出する検出部と、
給湯負荷への温水の給湯の際に、前記検出部により検出された温水貯湯量に応じて、前記ヒートポンプ給湯器または前記貯湯タンクから前記給湯負荷への温水の給湯（以下「第１給湯」という。）、および、前記補助給湯器から前記給湯負荷への温水の給湯（以下「第２給湯」という。）の、双方または何れか一方を行わせる制御部と、
を備えることを特徴とする給湯システム。
【請求項２】
温水を貯湯する貯湯タンクと、
前記貯湯タンクまたは給水源から供給される水を加熱して当該加熱後の温水を前記貯湯タンク内に貯湯させるヒートポンプ給湯器と、
温水を貯湯する補助貯湯タンクと、
前記補助貯湯タンクまたは前記給水源から供給される水を加熱して当該加熱後の温水を前記補助貯湯タンク内に貯湯させる補助給湯器と、
前記貯湯タンクにおける温水の貯湯量を検出する検出部と、
給湯負荷への温水の給湯の際に、前記検出部により検出された温水貯湯量に応じて、前記ヒートポンプ給湯器または前記貯湯タンクから前記給湯負荷への温水の給湯（以下「第１給湯」という。）、および、前記補助給湯器または前記補助貯湯タンクから前記給湯負荷への温水の給湯（以下「第２給湯」という。）の、双方または何れか一方を行わせる制御部と、
を備えることを特徴とする給湯システム。
【請求項３】
前記制御部が、前記給湯負荷への温水の給湯の際に、前記検出部により検出された温水貯湯量が第１基準量以上であるときに前記第１給湯を行わせ前記第２給湯を停止させる、ことを特徴とする請求項１または２に記載の給湯システム。
【請求項４】
前記制御部が、前記給湯負荷への温水の給湯の際に、前記検出部により検出された温水貯湯量が第２基準量以下であるときに前記第１給湯を停止させ前記第２給湯を行わせる、ことを特徴とする請求項１または２に記載の給湯システム。
【発明の詳細な説明】
【技術分野】
【０００１】
本発明は、給湯システムに関するものである。
【背景技術】
【０００２】
特許文献１に開示された給湯システムが知られている。この文献には、ヒートポンプ給湯器、貯湯タンクおよび補助給湯器を備える給湯システムが開示され、また、これらに加えて更に補助貯湯タンクを備える給湯システムも開示されている。ヒートポンプ給湯器は、フロン系ガスやＣＯ２ガスなどの冷媒の膨張および圧縮により熱交換を行うことで水を加熱するものであって、冷媒の圧縮には電気駆動の圧縮器を用いる。ヒートポンプ給湯器は、貯湯タンクまたは給水源から供給される水を加熱して、当該加熱後の温水を貯湯タンク内に貯湯させる。一方、補助給湯器は、一般に化石燃料であるガスまたは油を燃焼させることにより、貯湯タンクから供給される温水または補助貯湯タンク内の水を加熱する。ヒートポンプ給湯器は、補助給湯器と比較すると、エネルギー効率が高くランニングコストが低いという長所を有するものの、加熱能力が小さくイニシャルコストが高いという短所を有している。
【０００３】
この給湯システムの動作の一例は以下のとおりである。給湯負荷における温水使用量が比較的少ない夜間には、安価な深夜電力が用いられてヒートポンプ給湯器により生成された高温水が貯湯タンクに貯められる一方、給湯負荷へは補助給湯器または補助貯湯タンクから温水が給湯される。貯湯タンク内の温水が所定温度以上になるか或いは所定時刻になるかすると、ヒートポンプ給湯器の運転は停止される。
【０００４】
昼間における給湯負荷への温水の給湯の際には、貯湯タンク内に貯湯された高温水と給水源からの水とが混合されて適温の温水とされ、その温水が補助給湯器または補助貯湯タンクを経て給湯負荷に供給される。給湯負荷への給湯量が更に多くなって、貯湯タンクから供給される温水の温度が所定値より低くなると、貯湯タンクから補助給湯器または補助貯湯タンクへ供給された温水が補助給湯器により再び加熱されて、その加熱後の温水が給湯負荷へ給湯される。
【０００５】
特許文献１に開示された給湯システムでは、ヒートポンプ給湯器および補助給湯器それぞれの運転の制御が適切に行われることにより、ヒートポンプ給湯器および補助給湯器それぞれの特徴が活かされて、エネルギー効率向上および運転コスト低減が可能となるとされている。
【先行技術文献】
【特許文献】
【０００６】
【特許文献１】特開２０１０−２５４９９号公報
【発明の概要】
【発明が解決しようとする課題】
【０００７】
しかしながら、上記の給湯システムでは、補助給湯器の機種や特性によっては、エネルギー効率向上または運転コスト低減に関して所期の効果が得られない場合がある。既設の補助給湯器に対して新たにヒートポンプ給湯器および貯湯タンクを追加することで比較的安価に給湯システムを構築することができるものの、その既設の補助給湯器を利用したのでは所期の効果が得られない場合がある。この場合、所期の効果を得るためには、既設の補助給湯器を利用することができないので、安価に給湯システムを構築することができない。
【０００８】
本発明は、上記問題点を解消する為になされたものであり、エネルギー効率向上または運転コスト低減に関して所期の効果を得ることができ安価に構築することができる給湯システムを提供することを目的とする。
【課題を解決するための手段】
【０００９】
本発明の給湯システムは、(1) 温水を貯湯する貯湯タンクと、(2) 貯湯タンクまたは給水源から供給される水を加熱して当該加熱後の温水を貯湯タンク内に貯湯させるヒートポンプ給湯器と、(3) 給水源から供給される水を加熱して温水を生成する補助給湯器と、(4) 貯湯タンクにおける温水の貯湯量を検出する検出部と、(5) 給湯負荷への温水の給湯の際に、検出部により検出された温水貯湯量に応じて、ヒートポンプ給湯器または貯湯タンクから給湯負荷への温水の給湯（第１給湯）、および、補助給湯器から給湯負荷への温水の給湯（第２給湯）の、双方または何れか一方を行わせる制御部と、を備えることを特徴とする。
【００１０】
或いは、本発明の給湯システムは、(1) 温水を貯湯する貯湯タンクと、(2) 貯湯タンクまたは給水源から供給される水を加熱して当該加熱後の温水を貯湯タンク内に貯湯させるヒートポンプ給湯器と、(3) 温水を貯湯する補助貯湯タンクと、(4) 補助貯湯タンクまたは給水源から供給される水を加熱して当該加熱後の温水を補助貯湯タンク内に貯湯させる補助給湯器と、(5) 貯湯タンクにおける温水の貯湯量を検出する検出部と、(6) 給湯負荷への温水の給湯の際に、検出部により検出された温水貯湯量に応じて、ヒートポンプ給湯器または貯湯タンクから給湯負荷への温水の給湯（第１給湯）、および、補助給湯器または補助貯湯タンクから給湯負荷への温水の給湯（第２給湯）の、双方または何れか一方を行わせる制御部と、を備えることを特徴とする。
【００１１】
本発明の給湯システムは、制御部が、給湯負荷への温水の給湯の際に、検出部により検出された温水貯湯量が第１基準量以上であるときに第１給湯を行わせ第２給湯を停止させてもよい。また、制御部が、給湯負荷への温水の給湯の際に、検出部により検出された温水貯湯量が第２基準量以下であるときに第１給湯を停止させ第２給湯を行わせてもよい。
【発明の効果】
【００１２】
本発明の給湯システムは、補助給湯器の機種や特性によらずエネルギー効率向上または運転コスト低減に関して所期の効果を得ることができ、また、既設の補助給湯器を利用すれば安価に構築することができる。
【図面の簡単な説明】
【００１３】
【図１】第１実施形態の給湯システム１の構成図である。
【図２】第２実施形態の給湯システム２の構成図である。
【図３】第３実施形態の給湯システム３の構成図である。
【発明を実施するための形態】
【００１４】
以下、添付図面を参照して、本発明を実施するための形態を詳細に説明する。なお、図面の説明において同一の要素には同一の符号を付し、重複する説明を省略する。
【００１５】
（第１実施形態）
【００１６】
図１は、第１実施形態の給湯システム１の構成図である。第１実施形態の給湯システム１は、ヒートポンプ給湯器１０、貯湯タンク２０、補助給湯器３０および制御部５０Ａを備える。
【００１７】
ヒートポンプ給湯器１０は、入水口１１および出水口１２を含み、また、入水口１１に入水された水を流して出水口１２から出水するためのポンプ１３を含む。ヒートポンプ給湯器１０の入水口１１は、貯湯タンク２０の下部または底部に設けられた出水口２１に対し管路８１により接続されている。ヒートポンプ給湯器１０の出水口１２は、貯湯タンク２０の上部または頂部に設けられた入水口２２に対し管路８２により接続されている。ヒートポンプ給湯器１０は、貯湯タンク２０の出水口２１から管路８１を経て入水口１１に供給された水（または、給水源６０から管路８３，８１を経て入水口１１に供給された水）を加熱し、当該加熱後の温水を出水口１２から管路８２を経て貯湯タンク２０の入水口２２へ供給して、その温水を貯湯タンク２０内に貯湯させる。
【００１８】
ヒートポンプ給湯器１０は、フロン系ガスやＣＯ２ガスなどの冷媒の膨張および圧縮により熱交換を行うことで水を加熱するものであって、冷媒の圧縮には電気駆動の圧縮器を用いる。ヒートポンプ給湯器１０は、効率が高くランニングコストが低い。特に冷媒としてＣＯ２ガスを用いるヒートポンプ給湯器１０は、温度９０℃という高温の温水を生成することができるので好ましい。また、ヒートポンプ給湯器１０は、小型のものであっても、温度８５℃の高温の温水を生成することができる。
【００１９】
貯湯タンク２０は、出水口２１、入水口２２、入水口２３および出水口２４を含む。貯湯タンク２０の下部または底部に設けられた入水口２３は、給水源６０に対し管路８３により接続されている。貯湯タンク２０の上部または頂部に設けられた出水口２４は、給湯負荷７０に対し管路８４により接続されている。この管路８４上に設けられたバルブＶ１は、ヒートポンプ１０または貯湯タンク２０から給湯負荷７０への温水の給湯を制御することができる。
【００２０】
貯湯タンク２０は、内部の水を出水口２１から管路８１を経てヒートポンプ給湯器１０へ供給し、ヒートポンプ給湯器１０により加熱された温水を管路８２から入水口２２に供給されて内部に貯湯することができる。貯湯タンク２０は、給水源６０から管路８３を経て入水口２３に供給された水を内部に貯めることができる。また、貯湯タンク２０は、バルブＶ１が開いているときに、内部の温水（または、ヒートポンプ給湯器１０から管路８２を経て入水口２２に供給された温水）を、出水口２４から管路８４を経て給湯負荷７０へ供給することができる。
【００２１】
貯湯タンク２０は、下部または底部に設けられた出水口２１，入水口２３により、温度が比較的低い水を入水または出水する。また、貯湯タンク２０は、上部または頂部に設けられた入水口２２，出水口２４により、温度が比較的高い温水を入水または出水する。したがって、貯湯タンク２０の内部では、温度が比較的高い温水が上部に貯まり、温度が比較的低い水が下部に貯まって、両者間の境界に混合層ができ、上部の温水と下部の水とは混ざり難くなる。
【００２２】
貯湯タンク２０には温度計Ｔ１，温度計Ｔ２および温度計Ｔ３が設けられている。温度計Ｔ１は、貯湯タンク２０内部の下部位置の水の温度を測定する。この温度計Ｔ１による温度測定値が所定温度（例えば５０℃）以上であれば、貯湯タンク２０における温水貯湯量が満蓄に近い状態であると判断される。温度計Ｔ２は、貯湯タンク２０内部の中部位置の水の温度を測定する。この温度計Ｔ２による温度測定値が所定温度（例えば５０℃）以上であれば、貯湯タンク２０における温水貯湯量が第１基準量以上であると判断される。また、温度計Ｔ３は、貯湯タンク２０内部の上部位置の水の温度を測定する。この温度計Ｔ３による温度測定値が所定温度（例えば５０℃）以下であれば、貯湯タンク２０における温水貯湯量が第２基準量以下（湯切れに近い状態）であると判断される。なお、第２基準量≦第１基準量である。すなわち、温度計Ｔ１〜Ｔ３は、貯湯タンク２０における温水貯湯量を検出する検出部として用いられる。
【００２３】
補助給湯器３０は、入水口３１および出水口３２を含む。補助給湯器３０の入水口３１は、給水源６０に対し管路８３により接続されている。補助給湯器３０の出水口３２は、給湯負荷７０に対し管路８４により接続されている。この管路８４上に設けられたバルブＶ２は、補助給湯器３０から給湯負荷７０への温水の給湯を制御することができる。補助給湯器３０は、一般にガスまたは油を燃焼させることにより水を加熱する。補助給湯器３０は、給水源６０から管路８３を経て入水口３１に供給された水を加熱して温水を生成する。補助給湯器３０は、バルブＶ２が開いているときに、温水を出水口３２から管路８４を経て給湯負荷７０へ供給することができる。
【００２４】
制御部５０Ａは、温度計Ｔ１〜Ｔ３それぞれによる温度測定値を取得し、また、ヒートポンプ給湯器１０、補助給湯器３０、バルブＶ１およびバルブＶ２それぞれの動作を制御する。制御部５０Ａは、給湯負荷７０への温水の給湯の際に、温度計Ｔ１〜Ｔ３それぞれによる温度測定値に基づいて検出された貯湯タンク２０の温水貯湯量に応じて、ヒートポンプ給湯器１０または貯湯タンク２０から給湯負荷７０への温水の給湯（第１給湯）、および、補助給湯器３０から給湯負荷７０への温水の給湯（第２給湯）の、双方または何れか一方を行わせる。
【００２５】
次に、第１実施形態の給湯システム１の動作例について説明する。給湯システム１は、制御部５０Ａによる制御の下に以下のように動作する。
【００２６】
安価な深夜電力の利用が可能な夜間（２２時〜翌朝８時）に、ヒートポンプ給湯器１０が運転されて、貯湯タンク２０に温水が貯湯される。ヒートポンプ給湯器１０の運転が２２時に開始され、温度計Ｔ１による温度測定値が所定温度（例えば５０℃）以上になると運転が停止される。ヒートポンプ給湯器１０の運転時には、貯湯タンク２０の出水口２１からの水は、管路８１を経てヒートポンプ給湯器１０の入水口１１へ流れる。また、ヒートポンプ給湯器１０の出水口１２からの温水は、管路８２を経て貯湯タンク２０の入水口２２へ流れる。
【００２７】
給湯負荷７０に対して温水を給湯する際には、貯湯タンク２０の温水貯湯量に応じて、ヒートポンプ給湯器１０または貯湯タンク２０から給湯負荷７０への温水の給湯（第１給湯）、および、補助給湯器３０から給湯負荷７０への温水の給湯（第２給湯）の、双方または何れか一方が行われる。具体的には、温度計Ｔ１〜Ｔ３それぞれによる温度測定値に基づいて貯湯タンク２０の温水貯湯量が検出される。そして、貯湯タンク２０の温水貯湯量が第１基準量以上であるとき（温水貯湯量が充分であるとき）には、第１給湯が行われ、第２給湯が停止される。貯湯タンク２０の温水貯湯量が第２基準量以下であるとき（温水貯湯量が残り僅かであるとき）には、第１給湯が停止され、第２給湯が行われる。また、貯湯タンク２０の温水貯湯量が第２基準量を超え第１基準量未満であるときには、第１給湯および第２給湯の双方が行われる。
【００２８】
第１給湯の際には、バルブＶ１が開かれ、給水源６０からの水が管路８３を経て貯湯タンク２０の入水口２３へ流れ、このときの給水圧に押されて貯湯タンク２０の出水口２４からの温水がバルブＶ１および管路８４を経て給湯負荷７０へ流れる。また、第１給湯の際にヒートポンプ給湯器１０の運転が行われてもよく、この場合には、ヒートポンプ給湯器１０により生成された温水も、管路８２，バルブＶ１および管路８４を経て給湯負荷７０へ流れる。第２給湯の際には、バルブＶ２が開かれ、給水源６０からの水が管路８３を経て補助給湯器３０の入水口３１へ流れ、このときの給水圧に押されて補助給湯器３０の出水口３２からの温水がバルブＶ２および管路８４を経て給湯負荷７０へ流れる。
【００２９】
貯湯タンク２０の温水貯湯量が第２基準量以下となったとき、ヒートポンプ給湯器１０の運転が行われ、貯湯タンク２０内の水がヒートポンプ給湯器１０により加熱されて当該加熱後の温水が貯湯タンク２０に貯湯されてもよい。そして、貯湯タンク２０の温水貯湯量が所定量（例えば第１基準量）まで回復したら、第１給湯も行われてもよい。
【００３０】
以上のように、第１実施形態の給湯システム１では、ヒートポンプ給湯器１０または貯湯タンク２０から給湯負荷７０への温水の給湯（第１給湯）、および、補助給湯器３０から給湯負荷７０への温水の給湯（第２給湯）、の双方または何れか一方が行われる。すなわち、第１給湯の際には、ヒートポンプ給湯器１０または貯湯タンク２０からの温水は、補助給湯器３０を経ることなく給湯負荷７０へ給湯される。また、第２給湯の際には、給水源６０からの比較的低温の水が補助給湯器３０に供給されて、補助給湯器３０により生成された温水が給湯負荷７０へ給湯される。
【００３１】
ところで、一般にガスまたは油を燃焼させることにより温水を生成する補助給湯器の多くは、入水温度に上限を有しており、上限温度（例えば４０℃〜６０℃の範囲の温度）を超える温度の入水には対応していない。例えば、或る機種の補助給湯器では、入水温度が上限温度を超えている場合には運転停止となる。また、他の或る機種の補助給湯器では、入水温度が上限温度を超える場合には部品損傷や効率低下が生じるとされている。
【００３２】
したがって、特許文献１に開示された給湯システムは、貯湯タンクから補助給湯器または補助貯湯タンクを経て給湯負荷へ温水が給湯される構成を有しているので、貯湯タンクから供給される温水を補助給湯器により再加熱できない場合がある。或いは、特許文献１に開示された給湯システムは、貯湯タンクから供給される温水を補助給湯器により再加熱するためには、貯湯タンク内の温水と給水源からの水とを混合することで一旦温度を下げた混合水を補助給湯器に供給しなければならない。このように、特許文献１に開示された給湯システムでは、補助給湯器の機種や特性によっては、エネルギー効率向上または運転コスト低減に関して所期の効果が得られない場合があり、また、所期の効果を得るためには、既設の補助給湯器を利用することができないので、安価に構築することができない場合がある。
【００３３】
これに対して、第１実施形態の給湯システム１では、ヒートポンプ給湯器１０または貯湯タンク２０からの温水が補助給湯器３０に供給されることはなく、給水源６０からの比較的低温の水が補助給湯器３０に供給されるので、補助給湯器３０が入水温度に上限を有しているものであってもエネルギー効率向上または運転コスト低減に関して所期の効果を得ることができ、また、既設の補助給湯器３０を利用することができて安価に構築することができる。
【００３４】
（第２実施形態）
【００３５】
図２は、第２実施形態の給湯システム２の構成図である。第２実施形態の給湯システム２は、ヒートポンプ給湯器１０、貯湯タンク２０、補助給湯器３０、補助貯湯タンク４０および制御部５０Ｂを備える。
【００３６】
第１実施形態の給湯システム１と比較すると、第２実施形態の給湯システム２は、ヒートポンプ給湯器１０，貯湯タンク２０および補助給湯器３０を備える点では同様であるが、補助貯湯タンク４０を更に備える点で相違し、制御部５０Ａに替えて制御部５０Ｂを備える点で相違し、給湯負荷７０について具体的な構成が示されている点で相違し、また、これらの相違に伴って管路の構成の点で相違している。以下では、第２実施形態の給湯システム２の構成のうち第１実施形態の給湯システム１との相違点について主に説明する。
【００３７】
補助貯湯タンク４０は、出水口４１、入水口４２、入水口４３、出水口４４および入水口４５を含む。補助貯湯タンク４０の下部または底部に設けられた出水口４１は、補助給湯器３０の入水口３１に対し管路８５により接続されている。この管路８５には水を循環させるためのポンプＰ１が設けられている。補助貯湯タンク４０の上部または頂部に設けられた入水口４２は、補助給湯器３０の出水口３２に対し管路８６により接続されている。
【００３８】
補助貯湯タンク４０の下部または底部に設けられた入水口４３は、給水源６０に対し管路８３により接続されている。補助貯湯タンク４０の上部または頂部に設けられた出水口４４は、給湯負荷７０に対し管路８４により接続されている。この管路８４上に設けられたバルブＶ２は、補助給湯器３０または補助貯湯タンク４０から給湯負荷７０への温水の給湯を制御することができる。補助貯湯タンク４０の下部または底部に設けられた入水口４５は、給湯負荷７０に対し管路８７により接続されている。この管路８７には水を循環させるためのポンプＰ２が設けられている。
【００３９】
補助貯湯タンク４０は、補助給湯器３０から管路８６を経て入水口４２に供給された温水を内部に貯めることができ、給水源６０から管路８３を経て入水口４３に供給された水を内部に貯めることができ、給湯負荷７０から管路８７を経て入水口４５に供給された水を内部に貯めることができる。また、補助貯湯タンク４０は、内部の水を出水口４１から管路８５を経て補助給湯器３０へ供給することができ、内部の温水（または、補助給湯器３０から管路８６を経て入水口４２に供給された温水）を、出水口４４から管路８４を経て給湯負荷７０へ供給することができる。
【００４０】
補助給湯器３０は、補助貯湯タンク４０の出水口４１から管路８５を経て入水口３１に供給された水（または、給水源６０から管路８３，８５を経て入水口３１に供給された水）を加熱して温水を生成する。補助給湯器３０は、その生成した温水を出水口３２から管路８６を経て補助貯湯タンク４０の入水口４２へ供給して、その温水を補助貯湯タンク４０内に貯湯させる。
【００４１】
給湯負荷７０は、カラン７１〜７４、浴槽７５、濾過器７６、ポンプ７７および熱交換器７８を含む。給湯負荷７０は、管路８４を経て供給された温水を、カラン７１〜７４の何れかから出湯することができる。カラン７４から出湯された温水は浴槽７５に貯められる。浴槽７５に貯められた温水は、濾過器７６、ポンプ７７および熱交換器７８を経て循環される。また、給湯負荷７０は、管路８４を経て供給された温水を熱交換器７８に供給することにより、浴槽７５内の温水を熱交換器７８において加熱することができる。熱交換器７８を経た温水は、管路８７を経て補助貯湯タンク４０の入水口４５に供給されて、補助貯湯タンク４０内に貯められる。この温水の循環はポンプＰ２により行われる。
【００４２】
制御部５０Ｂは、温度計Ｔ１〜Ｔ３それぞれによる温度測定値を取得し、また、ヒートポンプ給湯器１０、補助給湯器３０、バルブＶ１、バルブＶ２、ポンプＰ１およびポンプＰ２それぞれの動作を制御する。制御部５０Ｂは、給湯負荷７０への温水の給湯の際に、温度計Ｔ１〜Ｔ３それぞれによる温度測定値に基づいて検出された貯湯タンク２０の温水貯湯量に応じて、ヒートポンプ給湯器１０または貯湯タンク２０から給湯負荷７０への温水の給湯（第１給湯）、および、補助給湯器３０または補助貯湯タンク４０から給湯負荷７０への温水の給湯（第２給湯）の、双方または何れか一方を行わせる。
【００４３】
第２実施形態の給湯システム２の動作例は第１実施形態の場合と略同様である。すなわち、安価な深夜電力の利用が可能な夜間（２２時〜翌朝８時）におけるヒートポンプ給湯器１０の運転および貯湯タンク２０への温水の貯湯は、第１実施形態の場合と同様である。また、給湯負荷７０に対して温水を給湯する際には、貯湯タンク２０の温水貯湯量に応じて、ヒートポンプ給湯器１０または貯湯タンク２０から給湯負荷７０への温水の給湯（第１給湯）、および、補助給湯器３０または補助貯湯タンク４０から給湯負荷７０への温水の給湯（第２給湯）の、双方または何れか一方が行われる。
【００４４】
第２実施形態では、第２給湯の際に、バルブＶ２が開かれ、給水源６０からの水が管路８３を経て補助貯湯タンク４０の入水口４３へ流れ、このときの給水圧に押されて補助貯湯タンク４０の出水口４４からの温水がバルブＶ２および管路８４を経て給湯負荷７０へ流れる。
【００４５】
以上のように、第２実施形態の給湯システム２では、ヒートポンプ給湯器１０または貯湯タンク２０から給湯負荷７０への温水の給湯（第１給湯）、および、補助給湯器３０または補助貯湯タンク４０から給湯負荷７０への温水の給湯（第２給湯）、の双方または何れか一方が行われる。すなわち、第１給湯の際には、ヒートポンプ給湯器１０または貯湯タンク２０からの温水は、補助給湯器３０または補助貯湯タンク４０を経ることなく給湯負荷７０へ給湯される。また、第２給湯の際には、給水源６０からの比較的低温の水が補助給湯器３０または補助貯湯タンク４０に供給されて、補助給湯器３０により生成された温水または補助貯湯タンク４０に貯湯された温水が給湯負荷７０へ給湯される。
【００４６】
したがって、第２実施形態の給湯システム２でも、ヒートポンプ給湯器１０または貯湯タンク２０からの温水が補助給湯器３０または補助貯湯タンク４０に供給されることはなく、給水源６０からの比較的低温の水が補助給湯器３０または補助貯湯タンク４０に供給されるので、補助給湯器３０が入水温度に上限を有しているものであってもエネルギー効率向上または運転コスト低減に関して所期の効果を得ることができ、また、既設の補助給湯器３０を利用することができて安価に構築することができる。
【００４７】
（第３実施形態）
【００４８】
図３は、第３実施形態の給湯システム３の構成図である。第３実施形態の給湯システム３は、ヒートポンプ給湯器１０、貯湯タンク２０、補助給湯器３０および制御部５０Ｃを備える。
【００４９】
第１実施形態の給湯システム１と比較すると、第３実施形態の給湯システム３は、貯湯タンク２０に２つの温度計Ｔ１，Ｔ２が設けられている点で相違し、また、制御部５０Ａに替えて制御部５０Ｃを備える点で相違する。以下では、第３実施形態の給湯システム３の構成のうち第１実施形態の給湯システム１との相違点について主に説明する。
【００５０】
温度計Ｔ１は、貯湯タンク２０内部の下部位置の水の温度を測定する。この温度計Ｔ１による温度測定値が所定温度（例えば５０℃）以上であれば、貯湯タンク２０における温水貯湯量が満蓄に近い状態であると判断される。温度計Ｔ２は、貯湯タンク２０内部の上中部位置（例えば上から１／５〜１／３の程度の水量位置）の水の温度を測定する。この温度計Ｔ２による温度測定値が所定温度（例えば５０℃）以下であると、貯湯タンク２０における温水貯湯量が第２基準量以下（湯切れに近い状態）であると判断される。また、温度計Ｔ２による温度測定値が所定温度（例えば７０℃）以上であると、貯湯タンク２０における温水貯湯量が第１基準量以上であると判断される。
【００５１】
制御部５０Ｃは、温度計Ｔ１，Ｔ２それぞれによる温度測定値を取得し、また、ヒートポンプ給湯器１０、補助給湯器３０、バルブＶ１およびバルブＶ２それぞれの動作を制御する。制御部５０Ｃは、給湯負荷７０への温水の給湯の際に、温度計Ｔ１，Ｔ２それぞれによる温度測定値に基づいて検出された貯湯タンク２０の温水貯湯量に応じて、ヒートポンプ給湯器１０または貯湯タンク２０から給湯負荷７０への温水の給湯（第１給湯）、および、補助給湯器３０から給湯負荷７０への温水の給湯（第２給湯）の、双方または何れか一方を行わせる。
【００５２】
第３実施形態の給湯システム３の動作例は第１実施形態の場合と略同様である。すなわち、安価な深夜電力の利用が可能な夜間（２２時〜翌朝８時）におけるヒートポンプ給湯器１０の運転および貯湯タンク２０への温水の貯湯は、第１実施形態の場合と同様である。また、給湯負荷７０に対して温水を給湯する際には、貯湯タンク２０の温水貯湯量に応じて、ヒートポンプ給湯器１０または貯湯タンク２０から給湯負荷７０への温水の給湯（第１給湯）、および、補助給湯器３０から給湯負荷７０への温水の給湯（第２給湯）の、双方または何れか一方が行われる。
【００５３】
第３実施形態では、温度計Ｔ１，Ｔ２それぞれによる温度測定値に基づいて貯湯タンク２０の温水貯湯量が検出される。そして、貯湯タンク２０の温水貯湯量が第１基準量以上であるとき（温水貯湯量が充分であるとき）には、第１給湯が行われ、第２給湯が停止される。貯湯タンク２０の温水貯湯量が第２基準量以下であるとき（温水貯湯量が残り僅かであるとき）には、第１給湯が停止され、第２給湯が行われる。また、貯湯タンク２０の温水貯湯量が第２基準量を超え第１基準量未満であるときには、第１給湯および第２給湯の双方が行われてもよい。
【００５４】
第３実施形態の給湯システム３でも、ヒートポンプ給湯器１０または貯湯タンク２０からの温水が補助給湯器３０に供給されることはなく、給水源６０からの比較的低温の水が補助給湯器３０に供給されるので、補助給湯器３０が入水温度に上限を有しているものであってもエネルギー効率向上または運転コスト低減に関して所期の効果を得ることができ、また、既設の補助給湯器３０を利用することができて安価に構築することができる。
【００５５】
（変形例）
【００５６】
本発明は、上記実施形態に限定されるものではなく、種々の変形が可能である。例えば、管路による接続は様々な態様が可能である。制御部による制御の際に各温度計による温度測定値と設定値との比較が行われるが、上記実施形態における各設定値は例示にすぎない。給湯負荷７０は、カラン７１〜７４を含まなくてもよいし、浴槽７５に替えてプール，床暖房およびラジエータ等の温水を循環させるものを含んでいてもよい。また、貯湯タンク２０の出水口２４と給湯負荷７０との間の管路８４上に混合弁を設け、第１給湯の際に、ヒートポンプ給湯器１０または貯湯タンク２０からの高温水と給水源５０からの水とを混合弁により混合して、所定温度の混合水を給湯負荷７０に供給するようにしてもよい。
【００５７】
また、補助給湯器３０に給水されることで該補助給湯器３０が自動的に運転をすることができる場合には、外部の制御部による補助給湯器３０の制御は不要である。この場合、制御部５０Ａ〜５０Ｃによる制御によりバルブＶ２が開かれることで、給水源６０から補助給湯器３０へ給水されて、補助給湯器３０の運転が行われ、第２給湯が行われる。
【符号の説明】
【００５８】
１〜３…給湯システム、１０…ヒートポンプ給湯器、１１…入水口、１２…出水口、１３…ポンプ、２０…貯湯タンク、２１…出水口、２２…入水口、２３…入水口、２４…出水口、３０…補助給湯器、３１…入水口、３２…出水口、４０…補助貯湯タンク、４１…出水口、４２…入水口、４３…入水口、４４…出水口、４５…入水口、５０Ａ〜５０Ｃ…制御部、６０…給水源、７０…給湯負荷、７１〜７４…カラン、７５…浴槽、７６…濾過器、７７…ポンプ、７８…熱交換器、８１〜８７…管路、Ｐ１，Ｐ２…ポンプ、Ｔ１〜Ｔ３…温度計、Ｖ１，Ｖ２…バルブ。
【図１】
2013083376.tif 000003
【図２】
2013083376.tif 000004
【図３】
2013083376.tif 000005